(57)【特許請求の範囲】
【請求項１】
商用電源を各負荷に印加する第１の制御手段と、
各負荷に商用電源が印加されたときその商用電源を所定周期で繰り返しＯＮ・ＯＦＦし高周波発生回路に印加する第２の制御手段と、
加熱室内の食品の重量を検出する重量センサと、
該重量センサにより検出された食品の重量に基づいて調理時間を設定する調理時間設定手段と、
該調理時間設定手段により設定された調理時間と第２の制御手段のＯＮ・ＯＦＦの所定周期とに基づいて、第１の制御手段の制御停止を第２の制御手段のＯＮ時間中に停止するよう前記調理時間を調整する調理時間再設定手段と
を備えたことを特徴とする高周波加熱装置。
【請求項２】
調理時間再設定手段は、調理時間設定手段により設定された調理時間と第２の制御手段のＯＮ・ＯＦＦの所定周期とに基づいてその調理時間の最終段にＯＦＦ時間が形成されるかどうかを判定し、最終段にＯＦＦ時間が形成されるときはそのＯＦＦ時間を除く調理時間を実調理時間として再設定し、前記ＯＦＦ時間が形成されないときは調理時間を実調理時間として再設定し、実調理時間を設定したときは時間を測定し、該測定時間がその実調理時間経過したときは第１及び第２の制御手段の制御を停止することを特徴とする請求項１記載の高周波加熱装置。
【請求項３】
調理時間再設定手段は、調理時間設定手段により設定された調理時間を第２の制御手段のＯＮ・ＯＦＦの所定周期で割って余り時間を算出する演算部と、該演算部により算出された余り時間がゼロかどうかを判定し、余り時間がゼロのときは調理時間の最終段にＯＦＦ時間が形成されると判断してそのＯＦＦ時間を除く調理時間を実調理時間として再設定し、余り時間があるときはその余り時間と前記所定周期のＯＮ時間とを比較し、余り時間がＯＮ時間以内のときは調理時間の最終段にＯＦＦ時間が形成されないと判断してその調理時間を実調理時間として再設定し、余り時間がＯＮ時間より長いときは調理時間の最終段にＯＦＦ時間が形成されると判断してそのＯＦＦ時間を除く調理時間を実調理時間として再設定する実調理時間判定部と、該実調理時間判定部により実調理時間が設定されたとき時間を測定し、該測定時間がその実調理時間経過したときは第１及び第２の制御手段の制御を停止する調理停止部とを備えていることを特徴とする請求項１記載の高周波加熱装置。
【発明の詳細な説明】
【０００１】
【発明の属する技術分野】
本発明は、食品の重量に基づいて設定する調理時間を再設定する高周波加熱装置に関するものである。
【０００２】
【従来の技術】
図５は従来の高周波加熱装置の構成を示す回路図であり、図において、１は商用電源、２は高周波発生回路で、高圧トランス３と、高圧トランス３の２次コイル３ｂに直列に接続され、倍電圧整流回路を構成する高圧コンデンサ４及び高圧ダイオード５と、高圧ダイオード５に並列に接続され、かつ高圧トランス３の２次コイル３ｃにヒータ（カソード）が接続されたマグネトロン６とで構成されている。
【０００３】
７は商用電源１を入り切りする第１のリレースイッチ、８は第１のリレースイッチ７を介して商用電源１と直列に接続される加熱室のランプ、９はそのランプ８に並列に接続され、加熱室の底部に設けられたターンテーブル（図示せぬ）を回転させるターンテーブルモータ、１０は並列に接続されたターンテーブルモータ９と高圧トランス３の１次コイル３ａとの間に挿入された第２のリレースイッチ、１１は各種のメニューキー１１ａ、調理開始キー１１ｂ、調理時間設定キー１１ｃ等を有するキー入力回路、１２はターンテーブルに載置される食品の重量を検出する重量センサである。
【０００４】
１３はマイクロコンピュータからなる制御装置で、商用電源１を降圧する降圧トランス１８が接続され、重量センサ１２によって検出された食品の重量に基づいて調理時間Ｔ1 を算出し、かつ、その調理時間Ｔ1 のカウントダウンを開始し、カウント値がゼロになったときは停止指令を出力する調理時間設定手段１４と、調理開始時に第１のリレースイッチ７をＯＮし、停止指令が入力されたときは第１のリレースイッチ７をＯＦＦする第１の制御手段１５と、調理開始時に第２のリレースイッチ１０をＯＮし、かつ、メニューキー１１ａの設定に基づいて第２のリレースイッチ１０をＯＮ又は所定周期で繰り返しＯＮ・ＯＦＦする第２の制御手段１６と、降圧トランス１８を介して入力される交流信号をパルスに整形し、そのパルス幅（時間幅）から商用周波数（５０Ｈz 又は６０Ｈz ）を判別する周波数判別手段１７とを有している。
【０００５】
次に、前記のように構成された従来の高周波加熱装置の動作を図６を参照しながら説明する。図６は従来の高周波加熱装置における食品解凍時の加熱パターンを示す波形図である。
メニューキー１１ａの中から解凍キーを設定して調理開始キー１１ｂを押すと、制御装置１３の第１の制御手段１５は、第１のリレースイッチ７をＯＮし（図６（ｂ）参照）、ランプ８を点灯すると共に、ターンテーブルモータ９を駆動し、第２の制御手段１６は、第２のリレースイッチ１０をＯＮして高圧トランス３に商用電源を印加し、マグネトロン６から高周波を発生させる。この時、キー設定に基づいて８秒ＯＮ（ｔ1 ）、２４秒ＯＦＦ（ｔ2 ）を１周期（ｔ3 ）として第２のリレースイッチ１０をＯＮ・ＯＦＦ制御する（図６（ｃ）参照）。この時の高周波出力は、通常、第２のリレースイッチ１０をＯＮしたままのマグネトロン６の高周波出力を５００Ｗとすると、平均１２５Ｗ（５００Ｗ＊８秒／３２秒）となる（図６（ａ）参照）。
【０００６】
一方、調理時間設定手段１４は、調理開始キー１１ｂが押されたとき、重量センサ１２を通じて加熱室内の食品の重量ｗを測定し、下記に示す式から調理時間Ｔ1 を算出して調理時間Ｔ1 のカウントダウンを開始する。
Ｔ1 ＝ａｗ＋ｂ（ａ，ｂは定数）
例えば、ｗ＝１００ｇ、ａ＝２、ｂ＝２０とした場合、調理時間Ｔ1 は、Ｔ1 ＝２＊１００＋２０＝２２０秒となる。この調理時間Ｔ1 をカウントダウンしてから０秒になったときは、第１の制御手段１５と第２の制御手段１６に停止指令をそれぞれ出力して第１及び第２のリレースイッチ７，１０をＯＦＦさせる。
【０００７】
【発明が解決しようとする課題】
前述した従来の高周波加熱装置では、調理時間Ｔ1 が２２０秒の場合、第２のリレースイッチ１０のＯＮ・ＯＦＦ動作は、８秒ＯＮ、２４秒ＯＦＦを１周期（３２秒）として６回繰り返した後８秒ＯＮで終了、即ち実調理時間Ｔ（２００秒）で終了するが（図６（ｃ）参照）、第１のリレースイッチ７は調理時間Ｔ1 （２２０秒）の間ＯＮ状態であるため、ランプ８とターンテーブルモータ９に２０秒間電源が印加されたままとなり、このため余分な電力を消費し、しかもその間に調理物が加熱されないために温度が下がっていた。
【０００８】
本発明は、かかる課題を解決するためになされたもので、調理開始から第１のリレースイッチをＯＮ状態にしても余分な電力消費をなくし、かつ暖かい調理物を提供できる高周波加熱装置を得ることを目的とする。
【０００９】
【課題を解決するための手段】
本発明の請求項１に係る高周波加熱装置は、商用電源を各負荷に印加する第１の制御手段と、各負荷に商用電源が印加されたときその商用電源を所定周期で繰り返しＯＮ・ＯＦＦし高周波発生回路に印加する第２の制御手段と、加熱室内の食品の重量を検出する重量センサと、重量センサにより検出された食品の重量に基づいて調理時間を設定する調理時間設定手段と、調理時間設定手段により設定された調理時間と第２の制御手段のＯＮ・ＯＦＦの所定周期とに基づいて第１の制御手段の制御停止を第２の制御手段のＯＮ時間中に停止するよう前記調理時間を調整する調理時間再設定手段とを備えたものである。
【００１０】
本発明の請求項２に係る高周波加熱装置は、調理時間再設定手段は、調理時間設定手段により設定された調理時間と第２の制御手段のＯＮ・ＯＦＦの所定周期とに基づいてその調理時間の最終段にＯＦＦ時間が形成されるかどうかを判定し、最終段にＯＦＦ時間が形成されるときはそのＯＦＦ時間を除く調理時間を実調理時間として再設定し、前記ＯＦＦ時間が形成されないときは調理時間を実調理時間として再設定し、実調理時間を設定したときは時間を測定し、測定時間がその実調理時間経過したときは第１及び第２の制御手段の制御を停止するものである。
【００１１】
本発明の請求項３に係る高周波加熱装置は、調理時間再設定手段は、調理時間設定手段により設定された調理時間を第２の制御手段のＯＮ・ＯＦＦの所定周期で割って余り時間を算出する演算部と、演算部により算出された余り時間がゼロかどうかを判定し、余り時間がゼロのときは調理時間の最終段にＯＦＦ時間が形成されると判断してそのＯＦＦ時間を除く調理時間を実調理時間として再設定し、余り時間があるときはその余り時間と所定周期のＯＮ時間とを比較し、余り時間がＯＮ時間以内のときは調理時間の最終段にＯＦＦ時間が形成されないと判断してその調理時間を実調理時間として再設定し、余り時間がＯＮ時間より長いときは調理時間の最終段にＯＦＦ時間が形成されると判断してそのＯＦＦ時間を除く調理時間を実調理時間として再設定する実調理時間判定部と、実調理時間判定部により実調理時間が設定されたとき時間を測定し、測定時間がその実調理時間経過したときは第１及び第２の制御手段の制御を停止する調理停止部とを備えたものである。
【００１２】
【発明の実施の形態】
実施形態１．
図１は本発明の実施形態１に係る高周波加熱装置の構成を示す回路図である。なお、図５で説明した従来例と同一又は相当部分には同じ符号を付し説明を省略する。
図において、２１は制御装置１３に備えられた調理時間再設定手段で、調理時間設定手段１４により設定された調理時間Ｔ1 を第２の制御手段１６の所定周期ｔ3 で割って余り時間ｃを算出する演算部２１ａと、演算部２１ａにより算出された余り時間ｃが例えばゼロかどうかを判定し、余り時間ｃがゼロのときは例えば調理時間Ｔ1 から所定周期ｔ3 のＯＦＦ時間ｔ2 を減算してその値を実調理時間Ｔとして再設定し、また、余り時間ｃがゼロを超えるときは例えば余り時間ｃと所定周期ｔ3 のＯＮ時間ｔ1 とを比較し、余り時間ｃがＯＮ時間ｔ1 以内のときは調理時間Ｔ1 を実調理時間Ｔとして再設定し、余り時間ｃがＯＮ時間ｔ1 より長いときは例えば調理時間Ｔ1 から余り時間ｃを減算した値にＯＮ時間ｔ1 を加算して得られる時間を実調理時間Ｔとして再設定する実調理時間判定部２１ｂと、実調理時間判定部２１ｂにより再設定された実調理時間Ｔを例えばカウントダウンし、実調理時間Ｔがゼロになったときは第１の制御手段１５と第２の制御手段１６とに停止指令を出力する調理停止部２１ｃとを備えている。
【００１３】
次に、実施形態１の高周波加熱装置の動作を説明する。図２は実施形態１に係る高周波加熱装置の動作を示すフローチャート、図３は実施形態１における食品解凍時の加熱パターンを示す図である。
加熱室に食品を入れた後にメニューキー１１ａの中から例えば解凍キーを設定して調理開始キー１１ｂを押すと（Ｓ１）、制御装置１３の第１の制御手段１５は、第１のリレースイッチ７をＯＮしてランプ８を点灯すると共に、ターンテーブルモータ９を駆動して食品を回転させ（Ｓ２）、第２の制御手段１６は、第２のリレースイッチ１０をＯＮしてマグネトロン６から高周波を発生させ、調理を開始する（Ｓ３）。
【００１４】
この時、第２の制御手段１６は、キー設定（解凍キー）に基づいて８秒ＯＮ（ｔ1 ）、２４秒ＯＦＦ（ｔ2 ）を１周期（ｔ3 ＝３２秒）として第２のリレースイッチ１０のＯＮ・ＯＦＦ制御を開始し（図３（ａ）参照）、かつ、その各時間ｔ1 ，ｔ2 ，ｔ3 をデータとして調理時間再設定手段２１に出力する。一方、調理時間設定手段１４は、重量センサ１２を通じて加熱室内の食品の重量ｗを測定して調理時間Ｔ1 を算出し（Ｓ４，Ｓ５）、その調理時間Ｔ1 をデータとして調理時間再設定手段２１に出力する。
【００１５】
調理時間再設定手段２１は、第２の制御手段１６及び調理時間設定手段１４からの各データが入力されると、調理時間Ｔ1 を周期の時間ｔ3 で割って余り時間ｃを算出し（Ｓ６）、余り時間ｃがゼロかどうかを判定する（Ｓ７）。余り時間ｃがゼロのときは、調理時間Ｔ1 から周期ｔ3 のＯＦＦ時間ｔ2 を減算してその値を実調理時間Ｔとして再設定する（Ｓ８）。このときの実調理時間Ｔは、図３（ｂ）に示すように調理時間Ｔ1 内において第２のリレースイッチ１０を３２秒周期でＯＮ・ＯＦＦ制御するときの最終段のＯＦＦ時間をカットした時間である。
【００１６】
また、余り時間ｃがゼロを超えたときは余り時間ｃと周期ｔ3 のＯＮ時間ｔ1 とを比較し（Ｓ９）、余り時間ｃがＯＮ時間ｔ1 以内のときは調理時間Ｔ1 を実調理時間Ｔとして再設定する（Ｓ１０）。この場合は、調理時間Ｔ1 内において第２のリレースイッチ１０を３２秒周期でＯＮ・ＯＦＦ制御するときの最終段のＯＮ時間ｔ1 内に余り時間ｃが入るので、調理時間Ｔ1 を実調理時間Ｔとしたものである（図３（ｃ）（ｄ）参照）。
【００１７】
余り時間ｃがＯＮ時間ｔ1 より長いときは、調理時間Ｔ1 から余り時間ｃを減算し、その値にＯＮ時間ｔ1 を加算して得られる時間を実調理時間Ｔとして再設定する（Ｓ１１）。この場合は、調理時間Ｔ1 内において第２のリレースイッチ１０を前記周期でＯＮ・ＯＦＦ制御するときの最終段のＯＮ時間ｔ1 以降のＯＦＦ時間をカットした時間を実調理時間Ｔとしたものである（図３（ｅ）参照）。例えば調理時間Ｔ1 を２２０秒とした場合、余り時間ｃが２８秒（２２０／３２（ｔ3 ））となってＯＮ時間ｔ1 （８秒）より長くなるので、Ｓ１１において実調理時間Ｔを算出する（Ｔ＝２２０−２８＋８＝２００秒）。この実調理時間Ｔは、３２秒周期を６回繰り返して８秒ＯＮする時間である。
【００１８】
実調理時間Ｔの設定後は、設定した実調理時間Ｔのカウントダウンを開始し（Ｓ１２）、ゼロになったかどうかを判定する（Ｓ１３）。カウントダウンにより実調理時間Ｔがゼロになったときは、第１の制御手段１５と第２の制御手段１６とに停止指令を出す。この時、第１の制御手段１５は、第１のリレースイッチ７をＯＦＦしてランプ８を消灯すると共に、ターンテーブルモータ９の駆動を停止し（Ｓ１４）、第２の制御手段１６は、第２のリレースイッチ１０をＯＦＦしてマグネトロン６からの高周波の発生を停止し（Ｓ１５）、調理を終了する。
【００１９】
以上のように実施形態１によれば、調理時間設定手段１４によって設定された調理時間Ｔ1 内において第２のリレースイッチ１０を所定周期でＯＮ・ＯＦＦ制御するときの最終段のＯＮ時間で調理が終了するようその調理時間Ｔ1 を調整したので、ランプ８及びターンテーブルモータ９と高周波発生回路２への電源供給を同時に遮断することが可能になり、このため、高周波発生回路２への電源供給を遮断しても調理時間Ｔ1 が経過するまでランプ８とターンテーブルモータ９に電源供給する従来の高周波加熱装置と比べ消費電力を軽減でき、また、高周波発生回路２への電源供給を遮断したときに調理を終了するので、暖かい調理物を提供できるという効果がある。
【００２０】
実施形態２．
本実施形態の高周波加熱装置は、商用周波数に応じて実調理時間Ｔを設定する調理時間再設定手段２１を備えたものである。例えば、高周波出力が５００Ｗの場合において、第２の制御手段１６を通じて入手した商用周波数が５０Ｈｚのときは、調理時間設定手段１４によって設定された調理時間Ｔ1 を実調理時間Ｔとし、商用周波数が６０Ｈｚのときは、前述した実施形態１と同様に実調理時間Ｔを設定する。
【００２１】
次に、実施形態２の高周波加熱装置の動作を説明する。図４は実施形態２に係る高周波加熱装置の動作を示すフローチャートである。なお、このフローチャートは高周波出力が５００ｗのときの動作とする。
前述したようにメニューキー１１ａの設定の後に調理開始キー１１ｂを押すと（Ｓ１）、制御装置１３の第１の制御手段１５は、第１のリレースイッチ７をＯＮしてランプ８を点灯すると共に、ターンテーブルモータ９を駆動して食品を回転させ（Ｓ２）、第２の制御手段１６は、周波数判別手段１７を通して商用周波数が６０Ｈｚかどうかを判定し（Ｓ３）、商用周波数が５０Ｈｚのときは第２のリレースイッチ１０をＯＮし、その状態を保持してマグネトロン６から高周波を発生させ（Ｓ５）、商用周波数が６０Ｈｚのときは、第２のリレースイッチ１０を連続ＯＮした場合、高周波出力が６００Ｗとなるので、２６秒ＯＮ（ｔ1 ）、６秒ＯＦＦ（ｔ2 ）を１周期（ｔ3 ＝３２秒）として第２のリレースイッチ１０をＯＮ・ＯＦＦ制御する（６００＊２６／３２＝４８７．５≒５００Ｗ）（Ｓ４）。この時、各時間ｔ1 ，ｔ2 ，ｔ3 と周波数判別手段１７の判別結果をデータとして調理時間再設定手段２１に出力する。
【００２２】
一方、調理時間設定手段１４は、重量センサ１２を通じて加熱室内の食品の重量ｗを測定して調理時間Ｔ1 を算出し（Ｓ６，Ｓ７）、その調理時間Ｔ1 をデータとして調理時間再設定手段２１に出力する。調理時間再設定手段２１は、第２の制御手段１６及び調理時間設定手段１４からの各データが入力されると、まず商用周波数を確認する（Ｓ１８）。商用周波数が５０Ｈｚのときは、調理時間設定手段１４によって設定された調理時間Ｔ1 を実調理時間Ｔとして設定し（Ｓ１５）、商用周波数が６０Ｈｚのときは、調理時間Ｔ1 を周期の時間ｔ3 で割って余り時間ｃを算出し（Ｓ９）、余り時間ｃがゼロかどうかを判定する（Ｓ１０）。余り時間ｃがゼロのときは、調理時間Ｔ1 から周期ｔ3 のＯＦＦ時間ｔ2 を減算してその値を実調理時間Ｔとして再設定する（Ｓ１１）。
【００２３】
また、余り時間ｃがゼロを超えたときは余り時間ｃと周期ｔ3 のＯＮ時間ｔ1 とを比較し（Ｓ１２）、余り時間ｃがＯＮ時間ｔ1 以内のときは調理時間Ｔ1 を実調理時間Ｔとして再設定する（Ｓ１３）。また、余り時間ｃがＯＮ時間ｔ1 より長いときは、調理時間Ｔ1 から余り時間ｃを減算し、その値にＯＮ時間ｔ1 を加算して得られる時間を実調理時間Ｔとして再設定する（Ｓ１４）。
【００２４】
実調理時間Ｔの設定後は、設定した実調理時間Ｔのカウントダウンを開始し（Ｓ１６）、ゼロになったかどうかを判定する（Ｓ１７）。カウントダウンにより実調理時間Ｔがゼロになったときは、第１の制御手段１５と第２の制御手段１６とに停止指令を出す。この時、第１の制御手段１５は、第１のリレースイッチ７をＯＦＦしてランプ８を消灯すると共に、ターンテーブルモータ９の駆動を停止し（Ｓ１８）、第２の制御手段１６は、第２のリレースイッチ１０をＯＦＦしてマグネトロン６からの高周波の発生を停止し（Ｓ１９）、調理を終了する。
【００２５】
以上のように実施形態２によれば、商用周波数が６０Ｈｚの場合、調理時間設定手段１４によって設定された調理時間Ｔ1 内で第２のリレースイッチ１０を所定周期でＯＮ・ＯＦＦ制御するときの最終段のＯＮ時間で調理が終了するようその調理時間Ｔ1 を調整したので、ランプ８及びターンテーブルモータ９と高周波発生回路２への電源供給を同時に遮断することが可能になり、このため、高周波発生回路２への電源供給を遮断しても調理時間Ｔ1 が経過するまでランプ８とターンテーブルモータ９に電源供給する従来の高周波加熱装置と比べ消費電力を軽減でき、また、高周波発生回路２への電源供給を遮断したときに調理を終了するので、暖かい調理物を提供できるという効果がある。
【００２６】
【発明の効果】
以上のように請求項１の発明によれば、調理時間設定手段により設定された調理時間と第２の制御手段のＯＮ・ＯＦＦの所定周期とに基づいて第１の制御手段の制御停止を第２の制御手段のＯＮ時間中に停止するようその調理時間を調整するようにしたので、その調整した調理時間経過後に第１及び第２の制御手段を同時に停止することができ、このため、各負荷と高周波発生回路への電源供給を同時に遮断することが可能になり、高周波発生回路への電源供給を遮断しても調理時間が経過するまで各負荷に電源供給する従来の高周波加熱装置と比べ消費電力を軽減でき、また、高周波発生回路への電源供給を遮断したときに調理を終了するので、暖かい調理物を提供できるという効果がある。
【００２７】
請求項２の発明によれば、調理時間設定手段により設定された調理時間と第２の制御手段のＯＮ・ＯＦＦの所定周期とに基づいてその調理時間の最終段にＯＦＦ時間が形成されるかどうかを判定し、最終段にＯＦＦ時間が形成されるときはそのＯＦＦ時間を除く調理時間を実調理時間として再設定し、ＯＦＦ時間が形成されないときは調理時間を実調理時間として再設定し、実調理時間を設定したときは時間を測定し、測定時間がその実調理時間経過したときは第１及び第２の制御手段の制御を停止するようにしたので、各負荷と高周波発生回路への電源供給を同時に遮断することが可能になり、このため、高周波発生回路への電源供給を遮断しても調理時間が経過するまで各負荷に電源供給する従来の高周波加熱装置と比べ消費電力を軽減でき、また、高周波発生回路への電源供給を遮断したときに調理を終了するので、暖かい調理物を提供できるという効果がある。
【００２８】
請求項３の発明によれば、調理時間設定手段により設定された調理時間を第２の制御手段のＯＮ・ＯＦＦの所定周期で割って余り時間を算出する演算部と、演算部により算出された余り時間がゼロかどうかを判定し、余り時間がゼロのときは調理時間の最終段にＯＦＦ時間が形成されると判断してそのＯＦＦ時間を除く調理時間を実調理時間として再設定し、余り時間があるときはその余り時間と所定周期のＯＮ時間とを比較し、余り時間がＯＮ時間以内のときは調理時間の最終段にＯＦＦ時間が形成されないと判断してその調理時間を実調理時間として再設定し、余り時間がＯＮ時間より長いときは調理時間の最終段にＯＦＦ時間が形成されると判断してそのＯＦＦ時間を除く調理時間を実調理時間として再設定する実調理時間判定部と、実調理時間判定部により実調理時間が設定されたとき時間を測定し、測定時間がその実調理時間経過したときは第１及び第２の制御手段の制御を停止する調理停止部とを備えたので、各負荷と高周波発生回路への電源供給を同時に遮断することが可能になり、このため、高周波発生回路への電源供給を遮断しても調理時間が経過するまで各負荷に電源供給する従来の高周波加熱装置と比べ消費電力を軽減でき、また、高周波発生回路への電源供給を遮断したときに調理を終了するので、暖かい調理物を提供できるという効果がある。
【図面の簡単な説明】
【図１】  本発明の実施形態１に係る高周波加熱装置の構成を示す回路図である。
【図２】  実施形態１に係る高周波加熱装置の動作を示すフローチャートである。
【図３】  実施形態１における食品解凍時の加熱パターンを示す図である。
【図４】  実施形態２に係る高周波加熱装置の動作を示すフローチャートである。
【図５】  従来の高周波加熱装置の構成を示す回路図である。
【図６】  従来の高周波加熱装置における食品解凍時の加熱パターンを示す波形図である。
【符号の説明】
１  商用電源、２  高周波発生回路、６  マグネトロン、７  第１のリレースイッチ、８  ランプ、９  ターンテーブルモータ、１０  第２のリレースイッチ、１１  キー入力回路、１３  制御装置、１４  調理時間設定手段、１５  第１の制御手段、１６  第２の制御手段、１８  降圧トランス、２１  調理時間再設定手段。
【図１】
0003671331.tif 000002
【図２】
0003671331.tif 000003
【図３】
0003671331.tif 000004
【図４】
0003671331.tif 000005
【図５】
0003671331.tif 000006
【図６】
0003671331.tif 000007